(57)【要約】【課題】軸受け部を非意匠部品とし、調色を行わないようにすること。【解決手段】この発明に係る空気調和機の上下フラップ軸受け構造は、吹き出し枠体に断熱材を貼り付け、その後軸受け部を吹き出し枠体に組み付け、最後に上下方向の吹出し風向を制御する上下フラップの軸を差し込んで組み立てる空気調和機の上下フラップ軸受け構造において、軸受け部の先端部を吹き出し枠体より中に入れ、吹き出し枠体で覆い隠す構成としたことを特徴とする。【選択図】　　　　図２
2004108699.tif 000002
【特許請求の範囲】
【請求項１】
吹き出し枠体に断熱材を貼り付け、その後軸受け部を前記吹き出し枠体に組み付け、最後に上下方向の吹出し風向を制御する上下フラップの軸を差し込んで組み立てる空気調和機の上下フラップ軸受け構造において、
前記軸受け部の先端部を前記吹き出し枠体より中に入れ、該吹き出し枠体で覆い隠す構成としたことを特徴とする空気調和機の上下フラップ軸受け構造。
【請求項２】
前記吹き出し枠体における前記上下フラップの挿入穴の径は、前記軸受け部の径より大きくしたことを特徴とする請求項１に記載の空気調和機の上下フラップ軸受け構造。
【請求項３】
前記軸受け部は、前記上下フラップが挿入される側の内周面端部に面取り部を設けたことを特徴とする請求項１に記載の空気調和機の上下フラップ軸受け構造。
【請求項４】
前記上下フラップの軸の先端を面取りしたことを特徴とする請求項１に記載の空気調和機の上下フラップ軸受け構造。
【請求項５】
前記吹き出し枠体の意匠面から非意匠面に向けて突き出したリブを設け、前記断熱材を前記リブに突き当てで貼り付けることを特徴とする請求項１に記載の空気調和機の上下フラップ軸受け構造。
【請求項６】
調和空気の吹き出し口が形成された吹き出し枠体に、上下方向の吹出し風向を制御する上下フラップを軸受け部を介して取り付ける空気調和機の室内機において、
前記軸受け部の先端部を前記吹き出し枠体より中に入れ、該吹き出し枠体で覆い隠す構成としたことを特徴とする空気調和機の室内機。
【請求項７】
前記吹き出し枠体における前記上下フラップの挿入穴の径は、前記軸受け部の径より大きくしたことを特徴とする請求項６に記載の空気調和機の室内機。
【請求項８】
前記軸受け部は、前記上下フラップが挿入される側の内周面端部に面取り部を設けたことを特徴とする請求項６に記載の空気調和機の室内機。
【請求項９】
前記上下フラップの軸の先端を面取りしたことを特徴とする請求項６に記載の空気調和機の室内機。
【請求項１０】
前記吹き出し枠体の意匠面から非意匠面に向けて突き出したリブを設け、前記断熱材を前記リブに突き当てで貼り付けることを特徴とする請求項６に記載の空気調和機の室内機。
【発明の詳細な説明】
【０００１】
【発明の属する技術分野】
この発明は、空気調和機に係り、詳しくは上下フラップの原価低減と組み立て作業性向上に関するものである。
【０００２】
【従来の技術】
従来の空気調和機の室内機では、下側の吹き出し口に上下フラップと吹き出し枠体が配置されている。吹き出し枠体に断熱材を貼り付け、その後軸受け部を吹き出し枠体にネジ止めで組み付け、最後に上下フラップを差し込んで組み立てる。
【０００３】
吹き出し枠体は意匠部品となるが、吹き出し枠体の非意匠面側に断熱材が配置されている。そして、軸受け部の先端は、意匠面となっている。
【０００４】
【特許文献１】
特開昭５８−００８８８６号公報
【０００５】
【発明が解決しようとする課題】
従来の空気調和機の室内機において、吹き出し枠体と上下フラップと軸受け部と断熱材とは、以上のように構成されており、断熱材の貼り付けがずれたりしていると軸受け部の組み立て作業性が悪くなる。また軸受け部は、先端部が意匠面となっているため、吹き出し枠体の色と同色になるように調色を行わなければならない。
【０００６】
この発明は上記のような問題点を解消するためになされたもので、軸受け部を非意匠部品とし、調色を行わないようにすることを目的とする。さらに、上下フラップの挿入性の向上、断熱材の貼り付け作業性の向上を図るものである。
【０００７】
【課題を解決するための手段】
この発明に係る空気調和機の上下フラップ軸受け構造は、吹き出し枠体に断熱材を貼り付け、その後軸受け部を吹き出し枠体に組み付け、最後に上下方向の吹出し風向を制御する上下フラップの軸を差し込んで組み立てる空気調和機の上下フラップ軸受け構造において、軸受け部の先端部を吹き出し枠体より中に入れ、吹き出し枠体で覆い隠す構成としたことを特徴とする。
【０００８】
【発明の実施の形態】
以下、この発明の実施の形態を図面に基づいて説明する。
実施の形態１．
図１、２は実施の形態１を示す図で、図１は空気調和機の室内機の吸込グリルを開放した状態の斜視図、図２は空気調和機の室内機の吹き出し枠体と上下フラップの関係を示す断面図である。
図１において、下側の吹き出し口に吹き出し枠体１と、吹出し空気の上下方向の風向を制御する上下フラップ２が配置されている。
【０００９】
図２において、吹き出し枠体１に断熱材４を貼り付け、その後軸受け部３を吹き出し枠体１にネジ止めで組み付け、最後に上下フラップ２の軸２ａを差し込んで組み立てる。
軸受け部の先端部３ａを吹き出し枠体１より中に入れ、吹き出し枠体１で覆い隠す構成としている。軸受け部３は、非意匠面側に配置されるので、吹き出し枠体１と異なる安価な材料で構成できると共に、吹き出し枠体１の色と同色になるように調色を行う必要もない。軸受け部３を安価なナチュラル材で成形することができる。
【００１０】
ただし、吹き出し枠体１の上下フラップ２挿入穴の径は、軸受け部３の径より大きくする必要がある。上下フラップ２の軸２ａが吹き出し枠体１の上下フラップ２の挿入穴に接触しないようにするためである。
【００１１】
上述の実施の形態によれば、軸受け部の先端部３ａを吹き出し枠体１より中に入れ、吹き出し枠体１で覆い隠す構成とすることにより、軸受け部３を非意匠部品とすることができ、軸受け部３を安価なナチュラル材で成形することができる。
【００１２】
実施の形態２．
図３は実施の形態２を示す図で、空気調和機の室内機の吹き出し枠体と上下フラップの関係を示す断面図である。
図において、軸受け部３は、上下フラップ２が挿入される側の内周面端部に、面取り部３ｂを設けている。その他の構成は、実施の形態１の図２と同様であり説明を省略する。
【００１３】
上記のように構成することにより、上下フラップ２の軸２ａの軸受け部３への挿入性を向上させることができる。
【００１４】
上述の実施の形態によれば、軸受け部３の上下フラップ２が挿入される側の内周面端部に面取り部３ｂを設けることにより、上下フラップ２の軸２ａの軸受け部３への挿入性を向上させる効果を奏する。
【００１５】
上述の実施の形態では、軸受け部３の上下フラップ２が挿入される側の内周面端部に面取り部３ｂを設けるものを示したが、上下フラップ２の軸２ａの先端を面取りしても同様の効果を奏する。
【００１６】
実施の形態３．
図４は実施の形態３を示す図で、空気調和機の室内機の吹き出し枠体と上下フラップの関係を示す断面図である。
図において、吹き出し枠体１には、意匠面から非意匠面に向けて突き出したリブ５が設けられている。その他の構成は、実施の形態１の図２と同様であり説明を省略する。
【００１７】
上記のように、吹き出し枠体１に、意匠面から非意匠面に向けて突き出したリブ５を設けることで、断熱材４をリブに突き当てで貼り付けることができ、作業性を向上させることができる。
【００１８】
また、軸受け部３は吹き出し枠体１より中に入り、吹き出し枠体１で覆い隠すので、軸受け部３は非意匠部品となり、吹き出し枠体１と異なる安価な材料で構成できると共に、吹き出し枠体１の色と同色になるように調色を行う必要もない。軸受け部３を安価なナチュラル材で成形することができることは、実施の形態１と同様である。
【００１９】
また、ここでも、吹き出し枠体１の上下フラップ２挿入穴の径は、軸受け部３の径より大きくする必要がある。上下フラップ２の軸２ａが吹き出し枠体１の上下フラップ２の挿入穴に接触しないようにするためである。
【００２０】
上述の実施の形態によれば、吹き出し枠体１に、意匠面から非意匠面に向けて突き出したリブ５を設けることで、断熱材４をリブに突き当てで貼り付けることができ、作業性を向上させることができる。
【００２１】
【発明の効果】
この発明に係る空気調和機の上下フラップ軸受け構造は、吹き出し枠体に断熱材を貼り付け、その後軸受け部を吹き出し枠体に組み付け、最後に上下方向の吹出し風向を制御する上下フラップの軸を差し込んで組み立てる空気調和機の上下フラップ軸受け構造において、軸受け部の先端部を吹き出し枠体より中に入れ、吹き出し枠体で覆い隠す構成としたので、軸受け部を安価なナチュラル材で成形することができる。
【図面の簡単な説明】
【図１】実施の形態１を示す図で、空気調和機の室内機の吸込グリルを開放した状態の斜視図である。
【図２】実施の形態１を示す図で、空気調和機の吹き出し枠体と上下フラップの関係を示す断面図である。
【図３】実施の形態２を示す図で、空気調和機の吹き出し枠体と上下フラップの関係を示す断面図である。
【図４】実施の形態３を示す図で、空気調和機の吹き出し枠体と上下フラップの関係を示す断面図である。
【符号の説明】
１　吹き出し枠体、２　上下フラップ、２ａ　軸、３　軸受け部、３ａ　軸受け部の先端部、３ｂ　面取り部、４　断熱材、５　リブ。
【図１】
2004108699.tif 000003
【図２】
2004108699.tif 000004
【図３】
2004108699.tif 000005
【図４】
2004108699.tif 000006